(57)【要約】【課題】  ドキュメントを表示保持する電子ペーパーＥＰのユーザ配置操作をドキュメントデータ（ドキュメントＩＤ）に対応付けることにより、ユーザがドキュメントデータをあたかも手にとって扱う如き感覚で操作できる環境を実現する。【解決手段】  複数の電子ペーパーＥＰが隣接して配置されると、当該隣接位置関係が検出されるとともに各電子ペーパーから表示保持しているドキュメントのドキュメントＩＤが取得され、各電子ペーパー毎の隣接関係にドキュメントＩＤを対応付けたＩＤデータ４４が生成される。これらＩＤデータ４４は管理装置５０により関係データ５３に統合され、電子ペーパーの隣接関係で繋がる全てのドキュメントデータが電子ペーパーの配置に対応付けて管理され、ドキュメント画像６４が当該配置関係を反映して画面６２に表示される。【選択図】  図１
2006031373.tif 000002
【特許請求の範囲】
【請求項１】
ドキュメント画像を表示保持する表示部を備えた携帯可能な表示記録媒体であって、
前記表示部に表示保持するドキュメントを識別する識別データを保持する識別データ保持手段と、
隣接する他の表示記録媒体を検出する検出手段と、
隣接する他の表示記録媒体から前記識別データを取得する取得手段と、
前記検出した他の表示記録媒体との位置関係に対応付けて前記取得した識別データを管理する管理手段とを備え、
自己が表示保持するドキュメントと隣接する他の表示記録媒体が表示保持するドキュメントとの間の位置関係を管理する機能を有することを特徴とする表示記録媒体。
【請求項２】
請求項１に記載の表示記録媒体において、
前記検出手段は、上又は下に重ねられた他の表示記録媒体を検出することを特徴とする表示記録媒体。
【請求項３】
請求項１に記載の表示記録媒体において、
前記検出手段は、平面上に配置された他の表示記録媒体を検出することを特徴とする表示記録媒体。
【請求項４】
ドキュメント画像を表示保持する表示部を備えた携帯可能な表示記録媒体と、隣接する複数の表示記録媒体が表示保持するドキュメントの間の位置関係を管理する管理装置と、を備えたドキュメント管理システムであって、
前記表示記録媒体は、
表示部に表示保持するドキュメントを識別する識別データを保持する識別データ保持手段と、
隣接する他の表示記録媒体を検出する検出手段と、
隣接する他の表示記録媒体から前記識別データを取得する取得手段と、
前記検出した他の表示記録媒体との位置関係に対応付けて前記取得した識別データを管理する管理手段と、を有し、
前記管理装置は、
前記表示記録媒体から前記位置関係に対応付けた識別データを取得するデータ取得手段と、
複数の表示記録媒体から取得した前記位置関係に対応付けた識別データを関係データに統合する関係処理手段と、を有することを特徴とするドキュメント管理システム。
【請求項５】
ドキュメント画像を表示保持する表示部を備えた携帯可能な表示記録媒体と、隣接する複数の表示記録媒体の位置関係を検出する認識装置と、隣接する複数の表示記録媒体が表示保持するドキュメントの間の位置関係を管理する管理装置と、を備えたドキュメント管理システムであって、
前記表示記録媒体は、
表示部に表示保持するドキュメントを識別する識別データを保持する識別データ保持手段を有し、
前記認識装置は、
前記検出した表示記録媒体間の位置関係に対応付けて当該表示記録媒体から前記識別データを取得する取得手段を有し、
前記管理装置は、
前記認識装置から前記位置関係に対応付けた識別データを取得するデータ取得手段と、
前記取得した前記位置関係に対応付けた識別データを関係データとして管理する関係処理手段と、を有することを特徴とするドキュメント管理システム。
【請求項６】
請求項４又は請求項５に記載のドキュメント管理システムにおいて、
前記位置関係は、他の表示記録媒体媒体との重なり関係であることを特徴とするドキュメント管理システム。
【請求項７】
請求項４又は請求項５に記載のドキュメント管理システムにおいて、
前記位置関係は、他の表示記録媒体媒体との平面上での隣接位置関係であることを特徴とするドキュメント管理システム。
【請求項８】
請求項４乃至請求項７のいずれか１項に記載のドキュメント管理システムにおいて、
前記関係データを取得する出力装置を更に備え、
当該出力装置は、
前記識別データに対応するドキュメントデータを保持するドキュメントデータ保持手段と、
前記取得した関係データに基づいてドキュメントデータに基づくドキュメント画像を前記位置関係によって表示するデータ処理手段と、を有することを特徴とするドキュメント管理システム。
【請求項９】
請求項４乃至請求項７のいずれか１項に記載のドキュメント管理システムにおいて、
前記関係データを取得する出力装置を更に備え、
当該出力装置は、
前記識別データに対応するドキュメントデータを保持するドキュメントデータ保持手段と、
前記取得した関係データに基づいてドキュメントデータを前記位置関係によって関連付けるデータ処理手段と、を有することを特徴とするドキュメント管理システム。
【請求項１０】
ドキュメント画像を表示保持する表示部を備えた携帯可能な表示記録媒体と、複数の表示記録媒体の位置関係を検出する認識装置と、複数の表示記録媒体が表示保持するドキュメントの間の位置関係を管理する管理装置と、を備えたドキュメント管理システムであって、
前記表示記録媒体は、
表示部に表示保持するドキュメントを識別する識別データを保持する識別データ保持手段を有し、
前記認識装置は、
予め設定された領域内に存する表示記録媒体を検出する検出手段と、
前記検出した表示記録媒体から前記識別データを取得する取得手段と、を有し、
前記管理装置は、
前記認識装置から前記識別データを取得するデータ取得手段と、
前記取得した識別データを当該表示記録媒体が検出された領域に対応付けた関係データとして管理する関係処理手段と、を有することを特徴とするドキュメント管理システム。
【請求項１１】
請求項１０に記載のドキュメント管理システムにおいて、
前記領域は複数の表示記録媒体を並べる平面上に視覚認識可能に区画化された複数の領域であり、
前記管理装置は、各領域の区画データを保持するひな型データ記憶手段を有しており、
前記関係処理手段は、当該ひな型データ記憶手段を参照して前記取得した識別データを当該表示記録媒体が検出された領域に対応付けた関係データを生成することを特徴とするドキュメント管理システム。
【請求項１２】
請求項１１に記載のドキュメント管理システムにおいて、
前記管理装置は、外部入力に応じて前記ひな型データ記憶手段が保持する領域区画データを更新する更新入力手段を有することを特徴とするドキュメント管理システム。
【請求項１３】
請求項１０乃至請求項１２のいずれか１項に記載のドキュメント管理システムにおいて、
前記関係データを取得する出力装置を更に備え、
当該出力装置は、
前記識別データに対応するドキュメントデータを保持するドキュメントデータ保持手段と、
前記取得した関係データに基づいてドキュメントデータに基づくドキュメント画像を前記領域の位置関係によって表示するデータ処理手段と、を有することを特徴とするドキュメント管理システム。
【請求項１４】
請求項１０乃至請求項１２のいずれか１項に記載のドキュメント管理システムにおいて、
前記関係データを取得する出力装置を更に備え、
当該出力装置は、
前記識別データに対応するドキュメントデータを保持するドキュメントデータ保持手段と、
前記取得した関係データに基づいてドキュメントデータを前記領域毎に関連付ける（ファイリング、リンク付け）データ処理手段と、を有することを特徴とするドキュメント管理システム。
【請求項１５】
請求項２乃至請求項１４のいずれか１項に記載のドキュメント管理システムにおいて、
前記ドキュメントを識別する識別データは、当該ドキュメントを表示保持している表示記録媒体を識別する媒体識別データであることを特徴とするドキュメント管理システム。
【請求項１６】
ドキュメント画像を表示保持する携帯可能な表示記録媒体に、検出手段と、データ取得手段と、データ管理手段とを設け、
前記検出手段が他の表示記録媒体が隣接されたことを検出し、
前記データ取得手段が当該他の表示記録媒体から表示保持するドキュメントを識別する識別データを取得し、
前記管理手段が前記他の表示記録媒体との隣接位置関係に対応付けて前記取得した識別データを管理することを特徴とするドキュメント管理方法。
【請求項１７】
ドキュメント画像を表示保持する携帯可能な表示記録媒体を用いて、隣接する複数の表示記録媒体が表示保持するドキュメントの間の位置関係を管理するドキュメント管理方法であって、
前記表示記録媒体が、他の表示記録媒体が隣接されたことを検出し、当該他の表示記録媒体から表示保持するドキュメントを識別する識別データを取得し、当該他の表示記録媒体との隣接位置関係に対応付けて前記取得した識別データを管理し、
管理装置が前記表示記録媒体から前記位置関係に対応付けた識別データを取得し、複数の表示記録媒体から取得した前記位置関係に対応付けた識別データを関係データに統合することを特徴とするドキュメント管理方法。
【請求項１８】
ドキュメント画像を表示保持する携帯可能な表示記録媒体を用いて、隣接する複数の表示記録媒体が表示保持するドキュメントの間の位置関係を管理するドキュメント管理方法であって、
認識装置が、隣接する複数の表示記録媒体の位置関係を検出し、当該検出した表示記録媒体間の位置関係に対応付けて当該表示記録媒体から表示保持するドキュメントを識別する識別データを取得し、
管理装置が、前記認識装置から前記位置関係に対応付けた識別データを取得し、当該取得した位置関係に対応付けた識別データを関係データとして管理することを特徴とするドキュメント管理方法。
【請求項１９】
ドキュメント画像を表示保持する携帯可能な表示記録媒体を用いて、複数の表示記録媒体が表示保持するドキュメントの間の位置関係を管理するドキュメント管理方法であって、
認識装置が、予め設定された領域内に存する表示記録媒体を検出し、当該検出した表示記録媒体から表示保持するドキュメントを識別する識別データを取得し、
管理装置が、前記認識装置から前記識別データを取得し、当該取得した識別データを当該表示記録媒体が検出された領域に対応付けた関係データとして管理することを特徴とするドキュメント管理方法。
【発明の詳細な説明】
【技術分野】
【０００１】
本発明は、携帯可能な表示記録媒体に無電源状態で表示保持されたドキュメントを当該表示記録媒体の配置関係に基づいて管理する技術に関し、例えば、隣接配置された表示記録媒体が表示保持するドキュメントや所定の領域に配置された表示記録媒体が表示保持するドキュメントを当該は位置関係に基づいて処理する技術に関し、特に、表示記録媒体として紙媒体のように柔軟で薄型の電子ペーパーを用いて好適な技術に関する。
【背景技術】
【０００２】
ドキュメントには、ネットワークから取得したテキストや画像と言った情報の他に、文書処理装置で作成された文書等と言った種々な情報があるが、このようなドキュメントは、当該ドキュメント画像をパーソナルコンピュータのディスプレイ画面に表示する、或いは、当該ドキュメント画像をプリンタによって紙媒体（用紙）に印刷すると言った方法でユーザの閲覧に供されている。
【０００３】
このようなドキュメント閲覧において、ドキュメント画像をディスプレイ画面に表示する方法に較べて、ドキュメント画像を用紙に印刷して表示する方法は、何時でも何処にでも容易に持ち運びすることができ、無電源の状態でドキュメントを閲覧することができ、しかも、複数枚の用紙に異なるドキュメントを印刷することにより複数のドキュメントを複数のユーザで同時に閲覧することができるという利点がある。
【０００４】
例えば、複数枚の用紙に異なるドキュメントを印刷して表示させる方法では、これらドキュメントの内容をユーザが一覧的に視覚で把握しながら、これら用紙を並べ替えたり重なり順を変更したりして、これらドキュメント間の関連性等を容易に整理することができる。しかも、このような整理作業を、１人のユーザだけでなく、複数のユーザが同時に行うこともでき、複数のユーザが複数のドキュメントを閲覧しながら方針を検討する等といった効率的な共同作業を実現することができる。
【０００５】
一方、コンピュータのディスプレイ画面にドキュメント画像を表示する方法は、当該ドキュメントの電子データ（ドキュメントデータ）を直接的に処理することから、種々な情報処理にそのまま利用することができるドキュメントデータの並べ替え等を行うことができる。しかしながら、この方法では、ドキュメントは限りある大きさのディスプレイ画面に表示されるため、複数のユーザが複数のドキュメントを同時に閲覧して作業を行うことは困難であり、しかも、これらドキュメントを手にとって扱うことはできず、ユーザが感覚的に把握し易い態様で利用することはできない。
【０００６】
近年では、紙媒体である用紙にとって代わることが可能なドキュメント閲覧のための表示記録媒体として、ドキュメント画像を表示部に無電源状態で表示保持することができ且つ用紙の如く柔軟な薄型で持ち運び自在である電子ペーパーが開発されている。
電子ペーパーは、無電源状態で画像を表示保持する表示部を有した表示装置であり、その表示部への画像の書き込み形式で大別すると、電子データに基づいて自己でドキュメント画像を表示部に書き込む機能を有する自己書き込み型電子ペーパーと、投影されたドキュメント画像を表示部に保持する光書き込み型電子ペーパーとがある。
このような電子ペーパーは、用紙と異なって表示部に表示保持した画像を消去したり上書きすることが可能であり、表示保持するドキュメント画像を更新したり消去して、繰り返し使用することができるので紙資源の節約等の観点からも利用促進が望まれている。
【０００７】
ここで、このような電子ペーパーに関して、電子ペーパーを電子ペーパーファイルに着脱可能とし、着脱状態に応じて表示部への画像の表示処理を行う発明が提案されている（特許文献１参照。）。
また、予め関連付けた複数のドキュメントデータを複数の電子ペーパーへ無線送信して、各電子ペーパーで表示させる発明が提案されている（特許文献２参照。）。
また、送信用電子ペーパーと受信用電子ペーパーとを電子ペーパーファイルに装着して、電子ペーパー間でドキュメントを送信する発明が提案されている（特許文献３参照。）。
【特許文献１】特開２００１―３１２２２７号公報
【特許文献２】特開２００２―９１７４９号公報
【特許文献３】特開２００２―３００３３３号公報
【発明の開示】
【発明が解決しようとする課題】
【０００８】
電子ペーパーで代表される表示記録媒体は、上記のように用紙と同様に、複数枚の表示記録媒体に異なるドキュメントを表示保持させて、これらドキュメントの内容をユーザに一覧的に視覚で把握させながら、これら表示記録媒体を並べ替えたり重なり順を変更したりして、これらドキュメント間の関連性等を容易に整理させることができ、しかも、このような整理作業を、１人のユーザだけでなく、複数のユーザが同時に行わせることもできる。
【０００９】
しかしながら、表示記録媒体は、表示記録媒体を並べる等でユーザがドキュメントを手にとって扱うと言った感覚的に把握し易い態様で利用することを実現できる反面、用紙によるドキュメントの閲覧と同様に、このように扱われた結果をドキュメントデータに反映させることができず、表示記録媒体（すなわち、ドキュメント）を並べる等と言ったユーザ作業をドキュメントデータに対する種々な情報処理に利用することができなかった。
なお、用紙に印刷したドキュメントの場合と同様に、複数の表示記録媒体に表示保持されたドキュメントをデジタルカメラやスキャナで読み取って電子化することが考えられるが、このような方法によっては、複数のドキュメントを含む１つの画像データが得られるだけであるので、ドキュメントデータを種々な情報処理に利用することを実現できない。
【００１０】
本発明は、上記従来の事情に鑑みなされたもので、ドキュメントを表示保持する表示記録媒体に対して行ったユーザの配置操作をドキュメントデータに対応付けることを実現して、ユーザがドキュメントデータをあたかも手にとって扱う如き感覚で操作できる環境を実現することを目的としている。
【課題を解決するための手段】
【００１１】
本発明は、ドキュメント画像を表示保持する携帯可能な表示記録媒体に、検出手段と、データ取得手段と、データ管理手段とを設け、検出手段が他の表示記録媒体が隣接されたことを検出し、データ取得手段が当該他の表示記録媒体から表示保持するドキュメントを識別する識別データを取得し、管理手段が他の表示記録媒体との隣接位置関係に対応付けて取得した識別データを管理する。
【００１２】
したがって、ユーザが表示記録媒体を手にとって、束ねられた複数の表示記録媒体の重ね順を変更する操作や、平面上に置かれた複数の表示記録媒体の配置を変更する操作がなされると、当該操作によって変更された表示記録媒体間の隣接関係（厚さ方向の上下、平面内の上下左右）に対応付けてドキュメントの識別データが管理される。すなわち、ドキュメントＩＤ等のドキュメントの識別データで特定されるオリジナルのドキュメントデータ（電子データ）が表示記録媒体間の隣接関係に対応して関連付けられる。
【００１３】
ここで、ドキュメントを識別する識別データは各ドキュメントデータに付与されたドキュメントＩＤである他、各ドキュメントとそれを表示保持する各表示記録媒体とを一意に対応付けるようにすれば、各表示記録媒体に付与された媒体ＩＤを用いることもできる。この場合には、表示記録媒体にドキュメントを表示保持させる際にそのドキュメントＩＤを表示記録媒体に保持させる必要がないので、当該表示保持処理の負担や表示記録媒体の機能への負担を軽減することができる。
【００１４】
また、本発明は、表示記録媒体が、他の表示記録媒体が隣接されたことを検出し、当該他の表示記録媒体から表示保持するドキュメントの識別データを取得し、当該他の表示記録媒体との隣接位置関係に対応付けて取得した識別データを管理し、管理装置が表示記録媒体から位置関係に対応付けた識別データを取得し、複数の表示記録媒体から取得した位置関係に対応付けた識別データを関係データに統合する。
【００１５】
したがって、ユーザが表示記録媒体を手にとって、束ねられた複数の表示記録媒体の重ね順を変更する操作や、平面上に置かれた複数の表示記録媒体の配置を変更する操作がなされると、当該操作によって変更された表示記録媒体間の隣接関係に対応付けてドキュメントの識別データが表示記録媒体毎に管理され、管理装置がこれら表示記録媒体から位置関係に対応付けた識別データを取得して、隣接関係にある全て表示記録媒体（すなわちドキュメント）を表示記録媒体間の位置関係に対応付けた関係データに統合する。すなわち、束ねられたり平面に配置されて隣接関係で繋がれる全ての表示記録媒体の位置関係に各識別データを対応付けた関係データが得られ、オリジナルのドキュメントデータがこれら表示記録媒体間の隣接関係に対応して関連付けられる。
【００１６】
また、本発明は、認識装置が、隣接する複数の表示記録媒体の位置関係を検出し、当該検出した表示記録媒体間の位置関係に対応付けて当該表示記録媒体から表示保持するドキュメントを識別する識別データを取得し、管理装置が、認識装置から位置関係に対応付けた識別データを取得し、当該取得した位置関係に対応付けた識別データを関係データとして管理する。
したがって、表示記憶媒体に代えて、外部の認識装置により表示記憶媒体間の隣接関係を検出し、上記同様に、管理装置が位置関係に対応付けた識別データを取得して、隣接関係にある全て表示記録媒体（すなわちドキュメント）を表示記録媒体間の位置関係に対応付けた関係データに統合する。
【００１７】
また、本発明は、例えば、テーブル上や壁面上等に表示記録媒体を配置するための領域を設定し、当該領域内に表示記録媒体は配置されたことに応じて、当該領域間の位置関係でドキュメントを管理するため、認識装置が、予め設定された領域内に存する表示記録媒体を検出し、当該検出した表示記録媒体から表示保持するドキュメントを識別する識別データを取得し、  管理装置が、認識装置から識別データを取得し、当該取得した識別データを当該表示記録媒体が検出された領域に対応付けた関係データとして管理する。
したがって、例えば、ドキュメントを分類するための領域を描いたテーブルを囲んで、複数のユーザがドキュメントを配置させながら行う会議の結果をドキュメントの識別データを介してドキュメントデータに反映させることができる。
なお、本発明では、領域を設定するパターンであるひな型をユーザが選択して用いることができ、また、当該ひな型を新たなものに更新することができる。
【００１８】
ここで、上記のようにして得られた関係データは、表示記憶媒体に表示保持されたドキュメント画像のオリジナル電子データ（ドキュメントデータ）を情報処理する際に利用されるが、例えば、関係データに基づいてドキュメントデータに基づくドキュメント画像を前記隣接関係や領域の位置関係によってディスプレイ画面に表示して当該ドキュメントデータの利用に供したり、関係データに基づいてドキュメントデータを前記領域毎にファイリングやリンク付けして関連付ける処理を行ったりすることができる。
【発明の効果】
【００１９】
本発明によると、ドキュメントを表示保持する表示記録媒体の位置関係をドキュメントの識別データに対応付けるようにしたため、ユーザが表示記録媒体の配置操作を行うことで、ドキュメントデータをあたかも手にとって扱う如き感覚で操作することができる。
【発明を実施するための最良の形態】
【００２０】
本発明を一実施例に基づいて具体的に説明する。
まず、本発明に利用される表示記録媒体の一例について、基本的な構成を図１２〜図１９を参照して説明する。
図１２〜図１９に示す表示記録媒体は電子ペーパーと称せられる媒体であり、ドキュメント画像の記録方式に違いにより大別して、図１２〜図１５に示す光書き込み型と、図１６〜図１８に示す自己書き込み型とがあり、いずれの形式にあってもいわゆる電子ペーパーと称せられるように紙の様に薄型の装置である。
【００２１】
図１２（ａ）には光書き込み型電子ペーパーＥＰを正面視して示し、同図（ｂ）には当該光書き込み型電子ペーパーＥＰを側面視で示してある。なお、図示の電子ペーパーＥＰはドキュメント画像を表示保持する表示部２と本発明に係る通信や種々な処理を司る処理部３とを有しており、同図（ａ）には処理部３に内蔵されている諸機能部も表してある。
光書き込み型電子ペーパーＥＰは、例えばＡ４版の用紙のような大きさのフレキシブルな薄型であり、大部分の面積を占める表示部２の一片に処理部３が設けられている。
なお、表示部２の大きさは任意であり、タグやカードとして用いることもでき、用途に応じた大きさのものとされる。また、後述するように表示部２と処理部３とを着脱可能とした構成とすることもできる。
【００２２】
処理部３には、表示部２を駆動する電圧を印加するための電極４、外部と無線等によりデータ通信するための通信部５、電子データを読み書き自在に保持するメモリ６、本発明に係る種々な処理を司るプロセッサ７、通信部５やプロセッサ７等の駆動電力を供給するバッテリ８が設けられている。
光書き込み型電子ペーパーＥＰは、外部の通信機能を有する装置（後述する隣接する電子ペーパー、認識装置、管理装置等）と通信部５で通信することにより、メモリ６に記憶する電子データ（ＩＤデータ等）を送受信し、また、これら電子データをメモリ６に保持することができる。
なお、これら機能部２〜７は、光書き込み型電子ペーパーＥＰの用途に応じた必要な構成により、処理部３に取捨選択的に備えられ、更に、必要な機能部が設けられ、例えば、後述する実施例に適用する場合には、隣接する他の電子ペーパーを検出するためにセンサ１が設けられる。
【００２３】
例えば、光書き込み型電子ペーパーＥＰは、図１３に示すように液晶パネル２５に画像情報を表示し、電極４に外部の電源から電圧を印加しながら光書き込み型電子ペーパーＥＰを液晶パネル２５に重ねて光を照射することにより、液晶パネル２５に表示させた画像情報を表示部２に転写して表示保持させることができる。
すなわち、光書き込み型電子ペーパーＥＰは電極４に電圧を印加することで投影されたドキュメント画像を表示部２に転写し、電極４に印加した電圧を除去した後も当該ドキュメント画像を表示状態で保持し続ける機能を有している。
【００２４】
光書き込み型電子ペーパーＥＰは、表示部２の断面構造を表す図１５に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００２５】
そして、光書き込み型電子ペーパーＥＰは、表示部２の動作原理を表す図１４に示すように、例えば画像書込み用の調光素子パネル（発光パネル）２５に転写する画像を表示して表示部２に投影し、電極４に電圧を印加すると、光の強弱を瞬時に反射濃度に変換して当該投影画像を保持する。そして、電極４に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極４に電圧を印加して新たな画像を投影することにより、表示部２に保持されている画像情報を上書きすることもでき、このような上書き処理によっても幾度も再使用することができる。
【００２６】
したがって、光書き込み型電子ペーパーＥＰは、紙のように薄く柔軟である性質に加えて、画像の投影により転写された画像情報を無電源保持する性質があるので、あたかもプリンタや複写機に使用する用紙の如く用いることができ、しかも、繰り返し再使用することができる携帯可能な表示記録媒体である。更に、光書き込み型電子ペーパーＥＰは、通信機能、メモリ機能、制御処理機能、センシング機能等を備えることができるので、後述するように本発明に係るドキュメント管理処理に供することができる。
【００２７】
図１６（ａ）には自己書き込み型電子ペーパーＥＰを正面視して示し、同図（ｂ）には当該自己書き込み型電子ペーパーＥＰを側面視で示してある。図示の電子ペーパーＥＰはドキュメント画像を表示保持する表示部１２と本発明に係る通信や種々な処理を司る処理部１３とを有しており、同図（ａ）には処理部１３に内蔵されている諸機能部も表してある。
自己書き込み型電子ペーパーＥＰは、光書き込み型電子ペーパーＥＰと同様に、例えばＡ４版の用紙のような大きさのフレキシブルな薄型表示装置であり、大部分の面積を占める表示部１２の一片に処理部１３が設けられている。なお、光書き込み型電子ペーパーＥＰと同様に、表示部１２の大きさは用途に応じた大きさのものとされ、後述するように表示部１２と処理部１３とを着脱可能とした構成とすることもできる。
【００２８】
処理部１３には、表示部１２を駆動するドライバ１４、外部と無線等によりデータ通信するための通信部１５、電子データを読み書き自在に保持するメモリ１６、本発明に係る種々な処理を司るプロセッサ１７、通信部１５やプロセッサ１７等の駆動電力を供給するバッテリ１８、画像表示に対する指示等のユーザ操作入力を受け付けるボタン等の操作部１９が設けられている。
自己書き込み型電子ペーパーＥＰは、外部の通信機能を有する装置（後述する隣接する電子ペーパー、認識装置、管理装置等）と通信部１５で通信することにより、メモリ１６に記憶する電子データ（ＩＤデータ等）を送受信し、また、これら電子データをメモリ１６に保持することができる。
なお、これら機能部１２〜１９は、自己書き込み型電子ペーパーＥＰの用途に応じた必要な構成により、処理部１３に取捨選択的に備えられ、更に、必要な機能部が設けられ、例えば、後述する実施例に適用する場合には、隣接する他の電子ペーパーを検出するためにセンサ１１が設けられる。
【００２９】
更に、自己書き込み型電子ペーパーＥＰは、光書き込み型電子ペーパーＥＰとは異なって、メモリ１６に保持したドキュメントデータに基づいてドライバ１４が表示部１２にドキュメント画像を書き込むことができ、ドライバ１４の駆動電力を除去しても表示部１２に画像情報を表示状態で保持し続ける機能を有している。
自己書き込み型電子ペーパーＥＰは、表示部１２の断面構造を表す図１８に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対のフィルム基板３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００３０】
そして、自己書き込み型電子ペーパーＥＰは、表示部１２の動作原理を表す図１７に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、メモリ１６に記憶されたデータに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによるドキュメント画像が表示される。なお、異なるデータに基づいてドライバ１４を動作させることにより、白色粒子３１と黒色粒子３２とのコントラストにより表示部１２に表示される画像情報を切り換えることができ、幾度も再使用することができる。
【００３１】
したがって、自己書き込み型電子ペーパーＥＰは、紙のように薄く柔軟である性質に加えて、表示部１２に表示した画像情報を無電源保持する性質があるので、あたかも用紙の如く用いることができる携帯可能な表示記録媒体である。更に、本例の自己書き込み型電子ペーパーＥＰは、通信機能、メモリ機能、制御処理機能、センシング機能等を備えることができるので、後述するように本発明に係るドキュメント管理処理に供することができる。
なお、自己書き込み型電子ペーパーＥＰにドキュメント画像を表示保持させるには、外部の書き込み装置からドキュメントデータを送信して通信部１５により受信させ、ドライバ１４により表示部１２に当該ドキュメント画像を書き込ませる。
【００３２】
ここで、光書き込み型や自己書き込み型等の形式を問わず、図１９に示すように、通信部５（１５）やプロセッサ７(１７)、メモリ６（１６）等といった処理部３（１３）の機能部を纏めた処理装置４０として、当該処理装置４０をクリップ形式等で電子ペーパーの表示部２（１２）に着脱可能に接続して設けるようにしてもよい。
なお、このような処理装置４０とした場合等において、電子ペーパーに備えるバッテリは外部の装置からの起電力を保持するコンデンサとするようにしてもよい。
【００３３】
また、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的に画像情報を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーＥＰの表示部２（１２）としては、強誘電液晶に代表されるメモリ性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリ駆動の薄型の液晶やＥＬ素子を用いてもよい。
【００３４】
次に、表示媒体として電子ペーパーＥＰを用いた本発明の実施例を説明する。
本発明では、表示部にドキュメント画像を無電源状態で表示保持する機能を有すればよいので、電子ペーパーＥＰは光書き込み型であるか自己書き込み型であるかの形式は問わない。
また、処理部３（１３）に備える機能部は下記の実施例から明らかのようにシステム構成に応じて取捨選択され、また、処理部３（１３）を表示部２（１２）に一体的に設けるか着脱式に設けるかも任意である。
【００３５】
なお、下記の実施例では、各電子ペーパーＥＰに表示保持されたドキュメントを識別するデータとして、ドキュメントデータに予め対応付けて一意に設定されているドキュメントＩＤを用いるが、例えば、各電子ペーパーがそれぞれ重複することなく１つずつのドキュメントを表示保持し、且つ、これらドキュメントのドキュメントＩＤと各電子ペーパーに予め一意に設定された媒体ＩＤを用いることもできる。
【００３６】
図１に示すドキュメント管理システムでは、電子ペーパーＥＰが、隣接する他の電子ペーパーＥＰを検出し、当該他の電子ペーパーＥＰから表示保持しているドキュメントＩＤを取得して、当該取得したドキュメントＩＤと自己が表示保持しているドキュメントのドキュメントＩＤを隣接位置関係に対応付けて管理（ＩＤテーブル）する機能を有している。そして、管理装置が、各電子ペーパーＥＰが管理する隣接位置関係に対応付けたドキュメントＩＤを取得して、これらを統合させて隣接関係で繋がれる全ての電子ペーパーについてドキュメントＩＤを当該隣接関係に対応付けて管理（関係テーブル）する。
なお、図１に示す電子ペーパーＥＰでは処理部を構成する装置４０をＩＤタグ形式で設けてある。
【００３７】
このような管理処理を実現するため、電子ペーパーＥＰと管理装置５０は図２に示すような機能構成を有している。
電子ペーパーＥＰは、ドキュメント画像を無電源状態で表示保持する表示部２（１２）に加えて、隣接する他の電子ペーパーＥＰの検出及び当該電子ペーパーからドキュメントＩＤを取得する通信センサ部４１、表示部２（１２）に保持しているドキュメント画像のオリジナル電子データ（ドキュメントデータ）を識別するドキュメントＩＤを保持するＩＤ保持部４２、隣接する他の電子ペーパーから取得したドキュメントＩＤと自己が表示保持しているドキュメントのドキュメントＩＤを検出した隣接位置関係に対応付ける処理を行うＩＤ処理部４３、隣接位置関係に対応付けられたドキュメントＩＤを保持するＩＤテーブル４４、ＩＤテーブル４４に保持したデータを外部へ出力する出力部４５を有している。
【００３８】
通信センサ部４１は上記の通信部５（１５）とセンサ１（１１）により構成され、ＩＤ保持部４２は上記のメモリ６（１６）により構成され、ＩＤ処理部４３は上記のプロセッサ７（１７）により構成され、ＩＤテーブル４４は上記のメモリ６（１６）により構成され、出力部４５は上記の通信部５（１５）或いは出力インタフェースを別途設けることにより構成されている。
【００３９】
ここで、出力部４５からオリジナルのドキュメントデータ６１を保持した出力装置６０（例えば、パーソナルコンピュータ）にＩＤテーブル４４のデータを出力することにより、当該出力装置６０において、データ処理手段６５が、隣接位置関係に対応付けたドキュメントＩＤに基づいてドキュメントデータを処理することができ、例えば、複数の電子ペーパーの隣接関係を反映したレイアウトで複数のドキュメント画像をディスプレイ画面６２に表示したり、或いは、複数の電子ペーパーの隣接関係を反映したファイリングやリンク付けをドキュメントデータに施すことができる。
なお、このドキュメントＩＤに基づくデータ処理は、或る電子ペーパーを基準としてこれに直接隣接する他の電子ペーパーとの位置関係に基づくものであり、隣接関係で繋がれた全体的な電子ペーパーの位置関係に基づく処理は関係データに基づいて行われる。
【００４０】
また、平面上で複数の電子ペーパーＥＰを配置する場合には、通信センサ部４１は、例えば、図３（ａ）に示すように電子ペーパーＥＰの四隅及び各辺に指向性を有した装置として設けられて、同位置平面状で上下左右及び斜め方向で隣接する他の電子ペーパーＥＰを検出してドキュメントＩＤの授受を、直接隣接している範囲の極く近距離の無線通信で行うようにする。
また、複数の電子ペーパーＥＰを重ねて上下方向で隣接させる場合には、通信センサ部４１は、例えば、図３（ｂ）に示すように電子ペーパーＥＰの上面及び下面に設けた接触式の装置として、上又は下に重ねられた他の電子ペーパーの通信センサ部４１と接触接続してドキュメントＩＤの授受を接触通信で行うようにする。
【００４１】
管理装置５０は、電子ペーパーＥＰから隣接位置関係に対応付けたドキュメントＩＤを取得する入力部５１、複数の電子ペーパーＥＰから取得した隣接位置関係に対応付けたドキュメントＩＤを統合して関係データとする関係処理部５２、関係データを保持する関係テーブル５３、関係データテーブル５３に保持したデータを出力装置６０へ出力する出力部５４を有している。
１つの電子ペーパーＥＰからは当該電子ペーパーを基準として直接隣接する他の電子ペーパーとの位置関係に対応付けたドキュメントＩＤが入力されるが、関係処理部５２はこれら電子ペーパー間の隣接関係を手繰ることで隣接関係により繋がれた全ての電子ペーパーの位置関係に各ドキュメントＩＤを対応付けた関係データを作成する。
【００４２】
したがって、出力部５４からオリジナルのドキュメントデータ６１を保持した出力装置６０に関連データテーブル５３のデータを出力することにより、当該出力装置６０において、データ処理手段６５が、隣接関係にある全ての電子ペーパーに関して、隣接位置関係に対応付けたドキュメントＩＤに基づいてドキュメントデータを処理することができ、例えば、複数の電子ペーパーの隣接関係を反映したレイアウトで複数のドキュメント画像をディスプレイ画面６２に表示したり、或いは、複数の電子ペーパーの隣接関係を反映したファイリングやリンク付けをドキュメントデータに施すことができる。
【００４３】
図１に示す例では、それぞれ異なるドキュメント画像を表示保持する４枚の電子ペーパーＥＰ（Ａ〜Ｄ）を用いており、当該ドキュメント画像を書き込む際に、各ドキュメント画像のオリジナル電子データを識別するドキュメントＩＤ（Ａ〜Ｄ）が各電子ペーパーＥＰ（Ａ〜Ｄ）に入力されてＩＤ保持部４２に保持されている。
そして、これら電子ペーパーＥＰ（Ａ〜Ｄ）が隣接して配置されると、各電子ペーパーの通信センサ部４１が直接的に隣接する他の電子ペーパーＥＰを検出して当該電子ペーパーからドキュメントＩＤを取得する。
【００４４】
例えば、右に他の電子ペーパー（Ｃ）が隣接配置されるとともに右上に他の電子ペーパー（Ａ）が隣接配置された電子ペーパー（Ｂ）では、これら隣接する他の電子ペーパーからドキュメントＩＤ（Ａ）（Ｃ）を取得して、ＩＤ処理部４４が、図１中に示すように、位置＝右：ドキュメントＩＤ＝Ｃ、位置＝右上：ドキュメントＩＤ＝ＡとしてドキュメントＩＤを隣接位置関係に対応付けてＩＤテーブル４４に記録する。
また、例えば、左に他の電子ペーパー（Ｂ）が隣接配置され、左上に他の電子ペーパー（Ａ）が隣接配置され、右に他の電子ペーパー（Ｄ）が隣接配置された電子ペーパー（Ｃ）では、これら隣接する他の電子ペーパーからドキュメントＩＤ（Ｂ）（Ａ）（Ｄ）を取得して、ＩＤ処理部４４が、図１中に示すように、位置＝左：ドキュメントＩＤ＝Ｂ、位置＝左上：ドキュメントＩＤ＝Ａ、位置＝右：ドキュメントＩＤ＝ＤとしてドキュメントＩＤを隣接位置関係に対応付けてＩＤテーブル４４に記録する。
なお、図示のＩＤテーブル４４には媒体ＩＤも記述管理されている。
【００４５】
このように、各電子ペーパーＥＰで管理されるＩＤテーブル４４のデータは、入力部５１から管理装置５０へ入力され、関係処理部５２により関係データに統合されて関係テーブル５３に保持管理される。
図１に示す例では、或る電子ペーパー（例えば電子ペーパー（Ａ））を起点として、電子ペーパー（Ｂ）から取得したＩＤテーブルデータ４４と、電子ペーパー（Ｃ）から取得したＩＤテーブルデータ４４とを統合させて、起点とする或る電子ペーパー（例えば電子ペーパー（Ａ）：ドキュメントＩＤ＝Ａ）に対して、位置＝左下：ドキュメントＩＤ＝Ｂ、位置＝右下：ドキュメントＩＤ＝Ｃ、位置＝右右下：ドキュメントＩＤ＝ＤとしてドキュメントＩＤを４枚の電子ペーパー間の隣接位置関係に対応付けて関係データテーブル５３に記録する。
【００４６】
関係データ５３は直接又は間接的に隣接関係にある全ての電子ペーパーについて、それらが表示保持するドキュメント画像（オリジナル電子データ）を識別するドキュメントＩＤを当該隣接位置関係で対応付けたものであり、例えば、この関係データ５３に基づいて出力装置６０がオリジナルドキュメントデータからドキュメント画像を画面６２に表示すると、これら画面上のドキュメント画像６４は上記電子ペーパーＥＰの配置位置関係で表示される。
【００４７】
図４には本発明に係る他の実施例を示してあり、本例は、上記の通信センサ部４１に該当する機能を有した認識装置７０を用いて、上下に重ねて束ねられた複数の電子ペーパーＥＰに基づいてドキュメントＩＤの対応付けを行うものである。
また、図５には本発明に係る更に他の実施例を示してあり、本例は、上記の通信センサ部４１に該当する機能を有した認識装置７０を用いて、平面上に配置された複数の電子ペーパーＥＰに基づいてドキュメントＩＤの対応付けを行うものである。
【００４８】
これらの例では、認識装置７０が電子ペーパーＥＰの隣接関係の検出とこれら電子ペーパーＥＰからのドキュメントＩＤの取得を行って、管理装置５０が隣接関係とドキュメントデータとに基づいて関係データ５３を生成するため、電子ペーパーＥＰではＩＤ処理部４３やＩＤテーブル４４を省略することができる。
【００４９】
図４や図５に示すシステム構成は、図１に示したシステム構成と略同様であるが、図６に示すような機能構成を有した認識装置７０が隣接関係及びドキュメントデータを取得する処理を行う。
すなわち、認識装置７０は、隣接する複数の電子ペーパーＥＰを検出してこれら電子ペーパーからドキュメントＩＤを非接触方式で取得する通信センサ部７１、検出された隣接位置関係を判定する位置判定部７２、隣接位置関係とドキュメントＩＤとを管理装置５０へ出力する出力部７３を有しており、束或いは平面配置で隣接された複数の電子ペーパーＥＰの隣接位置関係の検出とこれら各電子ペーパーからドキュメントＩＤの取得を行う。
【００５０】
図４や図５に示す例では、それぞれ異なるドキュメント画像を表示保持する３枚の電子ペーパーＥＰ（Ａ〜Ｃ）を用いており、上記の例と同様に、各ドキュメント画像のオリジナル電子データを識別するドキュメントＩＤ（Ａ〜Ｃ）が各電子ペーパーＥＰ（Ａ〜Ｃ）に入力されてＩＤ保持部４２に保持されている。
そして、これら電子ペーパーＥＰ（Ａ〜Ｄ）が隣接して配置されると、認識装置７０の通信センサ部７１がこれら電子ペーパーＥＰを検出して当該電子ペーパーからドキュメントＩＤを取得し、位置判定部７３が隣接位置関係を判定する。
【００５１】
例えば、図４に示す例では、電子ペーパー（Ａ）（Ｂ）（Ｃ）が下から順に重ねられた隣接位置関係が認識され、これら電子ペーパーに対応してドキュメントＩＤ（Ａ〜Ｃ）が取得される。
また、例えば、図５に示す例では、電子ペーパー（Ａ）（Ｂ）（Ｃ）の平面上での隣接位置関係が認識され、これら電子ペーパーに対応してドキュメントＩＤ（Ａ〜Ｃ）が取得される。
【００５２】
このように認識装置で所得されたデータは入力部５１から管理装置５０へ入力され、関係処理部５２により関係データとして関係テーブル５３に保持管理される。
図４に示す例では、電子ペーパー（Ａ〜Ｃ）の重ね順序（１〜３）に対応付けてドキュメントＩＤ（Ａ〜Ｃ）が関係データテーブル５３に記録される。
また、図５に示す例では、起点とする或る電子ペーパー（例えば電子ペーパー（Ａ）：ドキュメントＩＤ＝Ａ）に対して、位置＝左下：ドキュメントＩＤ＝Ｂ、位置＝右下：ドキュメントＩＤ＝ＣとしてドキュメントＩＤが３枚の電子ペーパー間の隣接位置関係に対応付けて関係データテーブル５３に記録される。
そして、関係データ５３に基づいて、出力装置６０がオリジナルドキュメントデータからドキュメント画像を画面６２に表示すると、これら画面上のドキュメント画像６４は上記電子ペーパーＥＰの配置位置関係で表示される。
【００５３】
図７には本発明に係る他の実施例を示してあり、本例は、テーブルや壁面等の平面Ｈの上にユーザが視覚できる態様で区画化された領域Ｒ１〜Ｒ５内に電子ペーパーＥＰ（ＥＰ１〜ＥＰ１８）が配置されていることを検出して、当該領域にドキュメントＩＤを対応付けた関係データを管理するものである。
なお、領域Ｒ１〜Ｒ５の外に配置されている電子ペーパーＥＰ８は区画された領域Ｒ１〜Ｒ５の外の領域内に存する電子ペーパーとして同様に処理される。
【００５４】
本例の認識装置７０は、上記実施例と略同様な機能を有しているが、電子ペーパーを配置する平面Ｈの隅部にカギ形に設けられており、通信センサ部７１により平面Ｈ上に配置された全ての電子ペーパーＥＰと２方向から無線通信して、受信電界強度の大小等により各電子ペーパーの平面状での位置を検出し、各電子ペーパーＥＰから表示保持しているドキュメントのドキュメントＩＤを受信取得する。
すなわち、平面Ｈ上における各電子ペーパーＥＰの配置位置関係と検出し、各配置位置にドキュメントＩＤに対応付けて管理装置５０へ出力する。
【００５５】
図８に示すように、本例の管理装置５０は、認識装置７０からのデータを取得する入力部５１、平面Ｈ上に区画された領域のパターン（分類ひな型）を保持する分類ひな型データ記憶部８２、認識装置７０から取得したデータを分類ひな型データ記憶部８２が保持する領域のパターンを参照してドキュメントＩＤを領域に対応付けた関係データを作成する分類処理部８３、生成された関係データを保持する分類記憶部８４、分類ひな型データ記憶部８２が保持する領域のパターンを更新する入力を受け付けるひな型入力部８５を有している。
なお、図８に示す例では、出力装置６０が管理装置５０に一体化されて設けられている。また、管理装置には、ドキュメントデータ６１に基づいて電子ペーパーＥＰ１〜ＥＰ１８にドキュメント画像を表示保持させて出力するプリンタＰが設けられている。
【００５６】
図７に示す例では、それぞれ異なるドキュメント画像を表示保持する１８枚の電子ペーパーＥＰ（ＥＰ１〜ＥＰ１８）を用いており、上記の例と同様に、各ドキュメント画像のオリジナル電子データを識別するドキュメントＩＤが各電子ペーパーに入力されてＩＤ保持部４２に保持されている。
そして、これら電子ペーパーを平面Ｈ上の領域（Ｒ１〜Ｒ５）に配置し、認識装置７０のスタートボタン（図示せず）を操作すると、認識装置７０の通信センサ部７１がこれら電子ペーパーＥＰ１〜ＥＰ１８を検出して当該電子ペーパーからドキュメントＩＤを取得し、各電子ペーパーＥＰ１〜ＥＰ１８の位置情報とそのドキュメントＩＤとを対応付けて管理装置５０へ入力する。
【００５７】
管理装置５０では、認識装置７０から取得した各電子ペーパーＥＰ１〜ＥＰ１８の位置情報が領域（Ｒ１〜Ｒ５）のいずれの中に存するかを判定し、当該ドキュメントＩＤを該当する領域に対応付ける分類処理を行って関係データを生成する。
図１に示す例では、例えば、電子ペーパーＥＰ１、ＥＰ１５、ＥＰ５、ＥＰ１３が表示保持しているドキュメントの４つのドキュメントＩＤを領域Ｒ１に対応付け、電子ペーパーＥＰ１１、ＥＰ２が表示保持しているドキュメントの２つのドキュメントＩＤを領域Ｒ２に対応付ける…と言った関係データが生成される。すなわち、ドキュメントＩＤが領域単位の塊として分類される。
【００５８】
したがって、このように領域毎に分類されたドキュメントＩＤに基づいて、出力装置６０でドキュメントデータに画面表示やファイリング等の種々な処理を施すことができる。
ここで、上記の他の実施例で説明した処理を本例に適用して、領域内における各電子ペーパーの隣接位置関係も検出して利用することができ、このようにすれば、ドキュメントＩＤを領域単位の塊として分類し、更に、領域内での隣接関係も対応付けた関係データを得ることができる。
【００５９】
分類ひな型データ記憶部８２に保持される領域パターンは上記分類の基準となるが、当該領域パターンはひな型入力部からの入力により、或いは、予め複数用意してユーザがその都度選択することにより、例えば、図９〜図１１に示すような種々なパターンを用いることができる。
図９に示すパターンは、複数の領域（Ｒ１〜Ｒ４）を縦割りに区画したものであり、多数の電子ペーパー（ドキュメント）を縦方向に並べながら行うビジネス企画作業、映像ストーリー整理作業等に適したものである。
【００６０】
図１０に示すパターンは、複数の領域（Ｒ１〜Ｒ４）を横割りに区画したものであり、多数の電子ペーパー（ドキュメント）を横方向に並べながら行うバランススコアカードの作成作業やシステム思考の目的展開作業等に適したものである。
図１１に示すパターンは、複数の領域（Ｒ１〜Ｒ４）を桝目状に区画したものであり、多数の電子ペーパー（ドキュメント）をグループ化しながら行う市場分析作業や四象限分析作業等に適したものである。
【図面の簡単な説明】
【００６１】
【図１】本発明に係るドキュメント管理システムの一例を示す図である。
【図２】本発明に係るドキュメント管理システムの機能構成の一例を説明する図である。
【図３】本発明に係る隣接検出方法の例を説明する図である。
【図４】本発明に係るドキュメント管理システムの一例を示す図である。
【図５】本発明に係るドキュメント管理システムの一例を示す図である。
【図６】本発明に係るドキュメント管理システムの機能構成の一例を説明する図である。
【図７】本発明に係るドキュメント管理システムの一例を示す図である。
【図８】本発明に係るドキュメント管理システムの機能構成の一例を説明する図である。
【図９】本発明に係る領域パターンの一例を示す図である。
【図１０】本発明に係る領域パターンの一例を示す図である。
【図１１】本発明に係る領域パターンの一例を示す図である。
【図１２】光書き込み型電子ペーパーを示す図である。
【図１３】光書き込み型電子ペーパーの使用方法を説明する図である。
【図１４】光書き込み型電子ペーパーの動作原理を説明する図である。
【図１５】光書き込み型電子ペーパーの構造を説明する図である。
【図１６】自己書き換え型電子ペーパーを示す図である。
【図１７】自己書き換え換え型電子ペーパーの動作原理を説明する図である。
【図１８】自己書き換え型電子ペーパーの構造を説明する図である。
【図１９】電子ペーパーの他の態様を示す図である。
【符号の説明】
【００６２】
ＥＰ：電子ペーパー（表示記録媒体）、  １、１１：センサ、
２、１２：表示部、  ３、１３：処理部、
４：電極、  ５、１５：通信部、
６、１６：メモリ、  ７、１７：プロセッサ、
８、１８：バッテリ、  ４０：クリップ処理部、
４１：通信センサ部、  ４２：ＩＤ保持部、
４３：ＩＤ処理部、  ４４：ＩＤテーブル、
５０：管理装置、  ５２：関係処理部、
５３：関係データテーブル、  ６０：出力装置、
６１：ドキュメントデータ記憶部、  ６２：ディスプレイ画面、
６５：データ処理部、  Ａ〜Ｄ：ドキュメントＩＤ、
Ｈ：配置平面、  Ｒ１〜Ｒ４：領域、
【図１】
2006031373.tif 000003
【図２】
2006031373.tif 000004
【図３】
2006031373.tif 000005
【図４】
2006031373.tif 000006
【図５】
2006031373.tif 000007
【図６】
2006031373.tif 000008
【図７】
2006031373.tif 000009
【図８】
2006031373.tif 000010
【図９】
2006031373.tif 000011
【図１０】
2006031373.tif 000012
【図１１】
2006031373.tif 000013
【図１２】
2006031373.tif 000014
【図１３】
2006031373.tif 000015
【図１４】
2006031373.tif 000016
【図１５】
2006031373.tif 000017
【図１６】
2006031373.tif 000018
【図１７】
2006031373.tif 000019
【図１８】
2006031373.tif 000020
【図１９】
2006031373.tif 000021